(57)【要約】【課題】利便性を向上することのできる表示装置を提供する。【解決手段】画像を表示する表示部２と、表示部２の前面に配されて入力操作を行うタッチパネル３と、タッチパネル３の前面周部を覆う環状の前面部４ａを有して外装を形成するキャビネット４とを備えたナビゲーション装置１において、タッチパネル３の動作エリア３ａを前面部４ａの内縁よりも内周側に設けた。【選択図】図３
2007233257.tif 000002
【特許請求の範囲】
【請求項１】
画像を表示する表示部と、前記表示部の前面に配されて入力操作を行うタッチパネルと、前記タッチパネルの前面周部を覆う環状の前面部を有して外装を形成するキャビネットとを備えた表示装置において、前記タッチパネルの動作エリアを前記前面部の内縁よりも内周側に設けたことを特徴とする表示装置。
【請求項２】
前記表示部は照明光を透過して画像を表示する表示エリアの周囲に照明光を遮光する遮光エリアを有し、前記動作エリアの外縁を前記遮光エリア上に配置したことを特徴とする請求項１に記載の表示装置。
【発明の詳細な説明】
【技術分野】
【０００１】
本発明は、表示画面上で操作するタッチパネルを有した表示装置に関する。
【背景技術】
【０００２】
従来の表示装置は特許文献１に開示される。この表示装置はナビゲーション装置に用いられナビゲーション装置は画像を表示する表示部の表示画面上にタッチパネルが設けられ、タッチパネルを手指で押圧して入力操作を行うことができる。
【０００３】
図５は従来のナビゲーション装置の要部を示す側面断面図である。ナビゲーション装置１は画像を表示する表示部２を備えている。表示部２は液晶パネル等の表示パネルと照明装置（いずれも不図示）とを一体にして構成されている。照明装置により表示パネルは背面から照明される。表示部２の前面にはタッチパネル３が配される。タッチパネル３は表示パネルの各画素に対応する位置に一対の対向する電極が設けられ、押圧によって電極が接触してＯＮ状態になる。
【０００４】
ナビゲーション装置１はキャビネット４により外装が形成され、表示部２や回路基板（不図示）等がキャビネット４で覆われる。キャビネット４は前面を開口してタッチパネル３の前面周部を覆う環状の前面部４ａを有している。前面部４ａの内周側に表示部２による画像を表示する表示エリアが形成される。また、下部の前面部４ａには操作スイッチ５が設けられている。
【０００５】
上記構成のナビゲーション装置１において、キャビネット４の前面部４ａの内周側を手指で押圧するとタッチパネル３の操作部位がＯＮ状態になる。これにより、表示エリア上の所定位置を押圧して入力操作を行うことができる。
【０００６】
また、タッチパネル３の電極をＯＮ状態にできる動作エリア３ａは前面部４ａで覆われた位置まで形成されている。これにより、タッチパネル３と前面部４ａの位置合せがずれても表示画面上の隅部まで操作できるようになっている。尚、動作エリア３ａの外周には非動作エリア３ｂが形成されている。非動作エリア３ｂは電極が制御部（不図示）に接続されず、ＯＦＦ状態が維持される。
【特許文献１】特開２００１−１１６５７５号公報（第３頁−第４頁、第２図）
【発明の開示】
【発明が解決しようとする課題】
【０００７】
しかしながら、上記従来のナビゲーション装置１の表示装置によると、タッチパネル３と前面部４ａとの隙間ｄに異物が挟まると、異物によりタッチパネル３が押圧される。前面部４の内周側はタッチパネル３の動作エリア３ａになるため異物部分はＯＮ状態が維持される。このため、異物を除去するまで正常な操作を行うことができず、ナビゲーション装置１の利便性が悪い問題があった。
【０００８】
本発明は、利便性を向上できる表示装置を提供することを目的とする。
【課題を解決するための手段】
【０００９】
上記目的を達成するために本発明は、  画像を表示する表示部と、前記表示部の前面に配されて入力操作を行うタッチパネルと、前記タッチパネルの前面周部を覆う環状の前面部を有して外装を形成するキャビネットとを備えた表示装置において、前記タッチパネルの動作エリアを前記前面部の内縁よりも内周側に設けたことを特徴としている。
【００１０】
この構成によると、表示装置は表示部により画像が表示され、表示部の前面にタッチパネルが配される。キャビネットの前面部はタッチパネルの前面周部を覆う環状に形成され、前面部の内縁の内周側に表示画面が表示される。タッチパネルの動作エリアは前面部の内縁の内周側に形成され、動作エリア内を手指で押圧して入力操作が行われる。尚、動作エリア外を押圧しても入力操作は行われない。
【００１１】
また本発明は、上記構成の表示装置において、前記表示部は照明光を透過して画像を表示する表示エリアの周囲に照明光を遮光する遮光エリアを有し、前記動作エリアの外縁を前記遮光エリア上に配置したことを特徴としている。
【００１２】
この構成によると、照明装置の照明光は表示エリアの周囲の遮光エリアで遮光され、表示エリアを透過して表示エリア内に画像が表示される。また、タッチパネルの動作エリアは表示エリアよりも広く形成され、表示エリア内を手指で押圧するとその部分のタッチパネルがＯＮ状態になる。
【発明の効果】
【００１３】
本発明によると、タッチパネルの動作エリアを環状の前面部の内縁よりも内周側に設けたので、前面部とタッチパネルとの間に異物が挟まってもタッチパネルがＯＮ状態にならない。このため、異物が挟まったことに気づかなくても正常な操作を行うことができ、ｊ表示装置の利便性を向上することができる。
【００１４】
また本発明によると、タッチパネルの動作エリアの外縁を表示部の遮光エリア上に配置したので、表示エリア上の入力操作を支障なく行うことができる。
【発明を実施するための最良の形態】
【００１５】
以下に本発明の表示装置をナビゲーション装置に用いた実施形態を図面を参照して説明する。説明の便宜上、前述の図５に示す従来例と同様の部分には同一の符号を付している。図１は一実施形態のナビゲーション装置の構成を示す正面図図である。また、図２は図１のＡ−Ａ断面図を示している。ナビゲーション装置１は画像を表示する表示部２を備えている。表示部２は液晶パネル等の表示パネルと照明装置（いずれも不図示）とを一体にして構成されている。照明装置により表示パネルは背面から照明される。
【００１６】
表示部２の背面には制御部（不図示）を有する回路基板６が配される。制御部によりナビゲーション装置１の各部が制御される。表示部２の前面にはタッチパネル３が配される。タッチパネル３は表示パネルの各画素に対応する位置に一対の対向する電極（不図示）が設けられ、押圧によって電極が接触してＯＮ状態になる。
【００１７】
表示部２の周面はキャビネット４で支持され、キャビネット４の背面部４ｂで回路基板６の背面が覆われる。これにより、キャビネット４によってナビゲーション装置１の外装が形成される。図３は図２のＢ部詳細図を示している。キャビネット４は前面を開口してタッチパネル３の前面周部を覆う環状の前面部４ａを有している。前面部４ａの内周側に表示部２による画像を表示する表示エリア２ａ（図４参照）が形成される。また、下部の前面部４ａには操作スイッチ５が設けられている。
【００１８】
図４はナビゲーション装置１の右下部分の詳細を示す正面図である。表示部２には照明装置による照明光を透過して画像を表示する表示エリア２ａを有している。表示エリア２ａの周囲には照明光を遮光する遮光エリア２ｂが設けられる。遮光エリア２ｂは表示パネル上に遮光膜を配して形成される。
【００１９】
タッチパネル３の電極をＯＮ状態にできる動作エリア３ａの外縁は遮光エリア２ｂ上に設けられる。これにより、動作エリア３ａが前面部４ａの内縁よりも内周側に設けられている。尚、動作エリア３ａの外周には非動作エリア３ｂ（図３参照）が形成されている。非動作エリア３ｂは電極が制御部（不図示）に接続されず、ＯＦＦ状態が維持される。非動作エリア３ｂに電極を設けなくてもよい。
【００２０】
上記構成のナビゲーション装置１において、キャビネット４の前面部４ａの内周側に形成される表示エリア２ａを手指で押圧すると、表示エリア２ａよりも広いタッチパネル３の動作エリア３ａ内の操作部位がＯＮ状態になる。これにより、表示エリア２ａの画面上の所定位置を押圧して入力操作を行うことができる。
【００２１】
本実施形態によると、タッチパネル３の動作エリア３ａを環状の前面部４ａの内縁よりも内周側に設けたので、前面部４ａとタッチパネル３との間の隙間ｄ（図３参照）に異物が挟まってもタッチパネル３がＯＮ状態にならない。このため、異物が挟まったことに気づかなくても正常な操作を行うことができ、ナビゲーション装置１の利便性を向上することができる。
【００２２】
また本発明によると、タッチパネル３の動作エリア３ａの外縁を表示部２の遮光エリア２ｂ上に配置したので、動作エリア３ａよりも狭い表示エリア２ａ上の入力操作を支障なく行うことができる。
【産業上の利用可能性】
【００２３】
本発明は、表示画面上で操作するタッチパネルを有した表示装置に利用することができる。
【図面の簡単な説明】
【００２４】
【図１】本発明の表示装置を用いたナビゲーション装置の実施形態を示す正面図である。
【図２】図１のＡ−Ａ断面図である。
【図３】図２のＢ部詳細図である。
【図４】本発明の表示装置を用いたナビゲーション装置の右下部分の詳細を示す正面図である。
【図５】従来のナビゲーション装置を示す側面断面図である。
【符号の説明】
【００２５】
１    ナビゲーション装置
２    表示部
２ａ  表示エリア
２ｂ  遮光エリア
３    タッチパネル
３ａ  動作エリア
３ｂ  非動作エリア
４    キャビネット
４ａ  前面部
４ｂ  背面部
５    操作スイッチ
６    回路基板
【図１】
2007233257.tif 000003
【図２】
2007233257.tif 000004
【図３】
2007233257.tif 000005
【図４】
2007233257.tif 000006
【図５】
2007233257.tif 000007